(57)【要約】【課題】まつげをカールする場合にはまつげ用カール器が顔の側面から接近するように作業を行うことができるようにして、作業時における手の操作方向を顔の側面から目に向かう方向とし、作業時の安全性及び恐怖感を減少することができると共に、まつげをより眼の近くから挟み易くすることをのできるまつげ用カール器を提供することを目的とする。【解決手段】一対の板状又は棒状の操作アーム１１ａ，１１ｂの基端部１２が開閉自在に弾性結合されると共に、それぞれの他端部はまつげを挟圧するための一対の押圧部１３を有するまつげ用カール器であって、前記一対の押圧部１３ａ，１３ｂは、前記各操作アーム１１ａ，１１ｂの先端部を顔面から離間する方向に屈曲させる屈曲部に並行するように構成した。【選択図】  図１
0003191695.tif 000002
【実用新案登録請求の範囲】
【請求項１】
一対の板状又は棒状の操作アームの基端部が開閉自在に弾性結合されると共に、それぞれの先端部はまつげを挟圧するための一対の押圧部を有するまつげ用カール器であって、
前記一対の押圧部は、前記各操作アームの先端部を顔面から離間する方向に屈曲させる屈曲部に並行して形成されてなることを特徴とするまつげ用カール器。
【請求項２】
前記一対の押圧部は、断面略Ｌ字状に形成される略Ｌ字状押圧部と、前記略Ｌ字状押圧部と組み合うように断面略逆Ｌ字状に形成される略逆Ｌ字状押圧部とを備えることを特徴とする請求項１に記載のまつげ用カール器。
【請求項３】
前記略逆Ｌ字状押圧部は、前記略Ｌ字状押圧部と接触する組合部に弾性部材を配置することを特徴とする請求項２に記載のまつげ用カール器。
【請求項４】
前記略Ｌ字状押圧部は、前記略逆Ｌ字状押圧部に対して押圧する押圧面が鋭角状に斜行して形成されてなることを特徴とする請求項２又は請求項３に記載のまつげ用カール器。
【考案の詳細な説明】
【技術分野】
【０００１】
本考案は、まつげ用カール器に関するものであり、より詳細には、顔の側面方向からまつ毛に近づけると共により作業性を高めたまつげ用カール器に関する。
【背景技術】
【０００２】
従来、まつげ用カール器としては、例えば、特開２００４−２７５２２２号（特許文献１）に記載のものが公知である。前記公報に記載のまつげ用カール器は、下まつ毛のほかに上まつ毛もカールすることができ、上下いずれのまつ毛をカールするときも手の位置はほぼ同じ高さであって、且つ手を頭付近まで上げる必要をなくし、安定した作業ができるようにするために、一対の鋏片が支軸を中心に回動可能に軸着され、双方の鋏片はまつ毛を挟圧するための一対の押圧部を有し、それぞれの押圧部に挟圧部が設けられ、一方の鋏片のガイド部に沿って他方の押圧部が摺動することにより挟圧と挟圧解除をなし、前記ガイド部はほぼ直線状であるまつ毛カール器において、前記一方の鋏片の長さ方向に対して前記ガイド部はほぼ直角をなすように構成している。
【先行技術文献】
【特許文献】
【０００３】
【特許文献１】特開２００４−２７５２２２号  第１頁  図１
【考案の概要】
【考案が解決しようとする課題】
【０００４】
しかしながら、前記従来のまつげ用カール器は、一対の押圧部に対して、この一対の押圧部を挟圧する鋏片が直交方向に取り付けられているため、前記まつげ用カール器においては、作業時における手の操作方向が目に向かう方向となる。したがって、まつげをカールする場合にはまつげ用カール器が目に直接接近するように作業を行うこととなる。
【０００５】
さらに、前記まつげ用カール器は、作動構造が一対の鋏片が支軸を中心に回動可能に軸着される構造からなるので、操作部（力点）、支軸（支点）、押圧部（作用点）の順に並んでおり、押圧部（作用点）に力を効率的に伝えることはできるが、微妙な力加減が取りにくい。
【０００６】
本考案は、かかる事情に鑑みてなされたものであって、操作部（力点）、支軸（支点）及び押圧部（作用点）を、支軸（支点）、操作部（力点）、押圧部（作用点）の順に並ぶように構造を工夫すると共に、押圧部（作用点）の形状を工夫して、まつげをカールする場合にはまつげ用カール器が顔の側面から接近するように作業を行うことができるようにして、作業時における手の操作方向を顔の側面から目に向かう方向とし、作業時の安全性及び恐怖感を減少することができると共に、まつげをより眼の近くから挟み易くすることをのできるまつげ用カール器を提供することを目的とする。
【課題を解決するための手段】
【０００７】
請求項１に記載のまつげ用カール器は、一対の板状又は棒状の操作アームの基端部が開閉自在に弾性結合されると共に、それぞれの他端部はまつげを挟圧するための一対の押圧部を有するまつげ用カール器であって、前記一対の押圧部は、前記各操作アームの先端部を顔面から離間する方向に屈曲させる屈曲部に並行して形成されてなることを特徴とする
。
【０００８】
請求項１に記載のまつげ用カール器にあっては、前記押圧部が操作アームの延長線状に設けられているので、まつげをカールする場合にはまつげ用カール器が顔の側面から接近するように作業を行うことができるようにして、作業時における手の操作方向を顔の側面から目に向かう方向とし、作業時の安全性及び恐怖感を減少することができると共に、まつげをより眼の近くから挟み易くすることをができる。
【０００９】
請求項２に記載のまつげ用カール器は、請求項１記載のまつげ用カール器において、前記一対の押圧部は、断面略Ｌ字状に形成される略Ｌ字状押圧部と、前記略Ｌ字状押圧部と組み合うように断面略逆Ｌ字状に形成される略逆Ｌ字状押圧部とを備えることを特徴とする。
【００１０】
請求項２に記載のまつげ用カール器にあっては、請求項１に記載のまつげ用カール器に加えて、まつげを挟持する場合に略Ｌ字状押圧部の突出面が、略逆Ｌ字状押圧部が形成するＬ字形空間に突入して、このＬ字形空間内でまつげを挟圧するため、例えば、コ字状空間に突出面を挿入してまつげを挟圧する従来のまつげ用カール器よりも、さらに、眼の近くでまつげを挟圧することができるので、まつげをより眼に近い位置から立ち上げることができることとなる。
【００１１】
請求項３に記載のまつげ用カール器は、請求項２記載のまつげ用カール器において、前記略逆Ｌ字状押圧部は、前記略Ｌ字状押圧部の挟持部が突入する略逆Ｌ字状空間部に弾性部材を配置することを特徴とする。
【００１２】
請求項３に記載のまつげ用カール器にあっては、請求項２に記載のまつげ用カール器に加えて、挟圧面に強く押しつけることができるので、まつげを放射線状に美しく広げることができる。
【００１３】
請求項４に記載のまつげ用カール器は、請求項２又は請求項３に記載のまつげ用カール器において、前記略Ｌ字状押圧部は、前記略逆Ｌ字状押圧部に対して押圧する押圧面が鋭角状に斜行して形成されてなることを特徴とする。
【００１４】
請求項４に記載のまつげ用カール器にあっては、請求項２又は請求項３に記載のまつげ用カール器に加えて、まつげを、より眼に近い位置から立ち上げることができることとなる。
【考案の効果】
【００１５】
請求項１に記載のまつげ用カール器によれば、一対の板状又は棒状の操作アームの基端部が開閉自在に弾性結合されると共に、それぞれの他端部はまつげを挟圧するための一対の押圧部を有するまつげ用カール器であって、前記一対の押圧部は、前記各操作アームの先端部を顔面から離間する方向に屈曲させる屈曲部に並行して形成されているので、前記押圧部が操作アームの延長線状に設けられることとなり、まつげをカールする場合にはまつげ用カール器が顔の側面から接近するように作業を行うことができるようにして、作業時における手の操作方向を顔の側面から目に向かう方向とし、作業時の安全性及び恐怖感を減少することができると共に、まつげをより眼の近くから挟み易くすることをができる。
【００１６】
請求項２に記載のまつげ用カール器によれば、請求項１に記載のまつげ用カール器に加えて、前記一対の押圧部は、断面略Ｌ字状に形成される略Ｌ字状押圧部と、前記略Ｌ字状押圧部と組み合うように断面略逆Ｌ字状に形成される略逆Ｌ字状押圧部とを備えているので、まつげを挟持する場合に略Ｌ字状押圧部の突出面が、略逆Ｌ字状押圧部が形成するＬ字形空間に突入して、このＬ字形空間内でまつげを挟圧するため、例えば、コ字状空間に突出面を挿入してまつげを挟圧する従来のまつげ用カール器よりも、さら眼の近くでまつげを挟圧することができるので、まつげを、より眼に近い位置から立ち上げることができる。
【００１７】
請求項３に記載のまつげ用カール器によれば、請求項２に記載のまつげ用カール器に加えて、前記略逆Ｌ字状押圧部は、前記略Ｌ字状押圧部の挟持部が突入する略逆Ｌ字状空間部に弾性部材を配置しているので、挟圧面に強く押しつけることができるので、まつげを放射線状に美しく広げることができる。
【００１８】
請求項４に記載のまつげ用カール器によれば、請求項２又は請求項３に記載のまつげ用カール器に加えて、前記略Ｌ字状押圧部は、前記略逆Ｌ字状押圧部に対して押圧する押圧面が鋭角状に斜行して形成されているので、なまつげを、より眼に近い位置から立ち上げることができることとなる。
【図面の簡単な説明】
【００１９】
【図１】本考案に係るまつげ用カール器の斜視図である。
【図２】図１のＡ−Ａ部分拡大図である。
【図３】（ａ）は正面図であり、（ｂ）は背面図である。
【図４】平面視における先端部分拡大図である。
【図５】底面視における先端部分拡大図である。
【図６】側面視における先端部分拡大図である。
【図７】挟圧状態を示す平面視先端部拡大図である。
【図８】挟圧状態を示す底面視先端部拡大図である。
【図９】使用状態を示す模式図である。
【図１０】使用状態を示す拡大模式図である。
【図１１】他実施例を示す斜視図である。
【図１２】他実施例の平面視における先端部拡大図である。
【図１３】他実施例の底面視における先端部拡大図である。
【図１４】他実施例の挟圧状態を示す底面視先端部拡大図である。
【考案を実施するための形態】
【００２０】
以下、本考案を実施するための形態を図面に基づいて具体的に説明する。
【００２１】
図１乃至図１０は本考案の実施例を示す図であり、図１は本考案に係るまつげ用カール器の斜視図であり、図２は図１のＡ−Ａ部分拡大図であり、図３（ａ）は正面図であり、（ｂ）は背面図であり、図４は平面視における先端部分拡大図であり、図５は底面視における先端部分拡大図であり、図６は側面視における先端部分拡大図である。
【００２２】
図１乃至図６において、１０は本考案に係るまつげ用カール器であり、前記まつげ用カール器１０は、先端にかけて細幅状となるように形成されるステンレス製の長板状の操作アーム１１を、２本（１１ａ，１１ｂ）、それぞれの基端部１２において開放状態に付勢するように固定し、前記基端部１２を支点として開閉できるように、略ピンセット形状となるように形成する。
【００２３】
そして、前記操作アーム１１の先端部には、前記操作アーム１１の長手方向に対して、略く字状の屈曲又は湾曲するように押圧部１３を形成している。
【００２４】
前記一方の操作アーム１１ａ（以下、「操作アーム１１ａ」という）における押圧部１３ａには前記操作アーム１１ａの表面に対して内方に向けて直角よりもやや鋭角に屈曲するように突出面１４ａを形成しており、全体として断面略Ｌ字状となるように押圧部１３ａを形成している。
【００２５】
また、前記他方の操作アーム１１ｂ（以下、「操作アーム１１ｂ」という）における押圧部１３ｂには、前記突出面１４ａと組み合うように挟持面１４ｂを突出形成しており、全体として断面略逆Ｌ字状となるように押圧部１３ｂを形成し、前記押圧部１３ａの突出面１４ａを受け入れる略Ｌ字状空間を形成している。
【００２６】
さらに、前記略Ｌ字状空間には、前記押圧部１３ａの突出面１４ａの先端面と噛合するように直方体状のゴムを接着等の手段により固定している。
【００２７】
図７は、挟圧状態を示す平面視先端部拡大図であり、図８は、挟圧状態を示す底面視先端部拡大図である。
【００２８】
前記まつげ用カール器１０の前記操作アーム１１ａ，１１ｂを指で摘み押圧すると、前記操作アーム１１ａ，１１ｂは開放状態から閉鎖状態になり、図７及び図８に示すように、前記押圧部１３ａの突出面１４ａが前記押圧部１３ｂの略Ｌ字状空間に突入し、前記略Ｌ字状空間の固定されたゴムに突き当たることとなる。
【００２９】
図９は、使用状態を示す模式図であり、図１０は使用状態を示す拡大模式図である。
【００３０】
以上のように構成される前記まつげ用カール器１０は、操作アーム（力点）、支軸（支点）及び押圧部（作用点）を、支軸（支点）、操作アーム（力点）、押圧部（作用点）の順に並ぶように形成しているので、前記まつげ用カール器１０を使用する場合は、図９に示すように、まつげ用カール器が顔の側面から接近するように作業を行うことができるため、作業時における手の操作方向を顔の側面から目に向かう方向とし、作業時の安全性及び恐怖感を減少することができる
【００３１】
また、前記押圧部１３は、断面略Ｌ字状に形成される略Ｌ字状押圧部１３ａと、前記略Ｌ字状押圧部と組み合うように断面略逆Ｌ字状に形成される略逆Ｌ字状押圧部１３ｂとを備えているので、図１０に示すように、まつげを挟持する場合に略Ｌ字状押圧部１３ａの突出面１４ａが、略逆Ｌ字状押圧部１３ｂが形成するＬ字形空間に突入して、このＬ字形空間内でまつげを挟圧するため、例えば、コ字状空間に突出面を挿入してまつげを挟圧する従来のまつげ用カール器よりも、さら眼の近くでまつげを挟圧することができ、まつげを、より眼に近い位置から立ち上げることができる。
【００３２】
さらに、前記略逆Ｌ字状押圧部は、前記略Ｌ字状押圧部の挟持部が突入する略逆Ｌ字状空間部に弾性部材を配置しているので、挟圧面に強く押しつけることができるので、まつげを放射線状に美しく広げることができる。
【００３３】
加えて、前記略Ｌ字状押圧部は、前記略逆Ｌ字状押圧部に対して押圧する突出面が鋭角状に斜行して形成されているので、まつげを、より眼に近い位置から立ち上げることができることとなる。なお、前記まつげ用カール器１０は、上まつげのみならず下まつげにおいても使用できることは勿論である。
【００３４】
図１１は他実施例を示す斜視図であり、図１２は他実施例の平面視における先端部拡大図であり、図１３は他実施例の底面視における先端部拡大図であり、図１４は他実施例の挟圧状態を示す底面視先端部拡大図である。
【００３５】
図１１乃至図１４に示す他の実施例のまつげ用カール器２０は、先端にかけて細幅状となるように形成されるステンレス製の長板を略中央から湾曲状に、開放状態に付勢するように折り曲げて、操作アーム２１ａ，２１ｂを形成しており、全体として、略ピンセット形状となるように形成されている。
【００３６】
また、前記操作アーム２１ａの押圧部２３に形成される突出面２４ａは先端面が円弧状に窪むように形成されており、これに対して、前記突出面２４ａと当接するゴムＣＧは、前記突出面２４ａの円弧状先端面と符合するように円弧状凸面として形成されている。
【００３７】
前記まつげ用カール器２０は、以上のように形成されているので、両端を先細状に形成するステンレス製板材を中央で湾曲状に折り曲げれば良いので、構造が簡単で、より安価に製造することができる。また、前記突出面２４ａは先端面が円弧状に窪むように形成されており、これに対して、前記突出面２４ａと当接するゴムＣＧは、前記突出面２４ａの円弧状先端面と符合するように円弧状凸面として形成されているので、図１４に示すように、閉鎖状態において、挟持するまつげをより円弧状に美しくカールすることができることとなる。
【００３８】
なお、前記まつげ用カール器１０，２０は、ステンレスの板状材で形成したが、これに限定するものではなく、棒状材で形成しても良い。
【符号の説明】
【００３９】
１０    まつげ用カール器
１１    操作アーム（力点）
１１ａ  一方の操作アーム
１１ｂ  他方の操作アーム
１２    基端部（支点）
１３    押圧部（作用点）
１３ａ  一方の押圧部
１３ｂ  他方の押圧部
１４ａ  突出面
１４ｂ  挟持面
２０    まつげ用カール器（他の実施例）
２１ａ  一方の操作アーム（力点）
２１ｂ  他方の操作アーム（力点）
２２    基端部（支点）
２３    押圧部（作用点）
２３ａ  一方の押圧部
２３ｂ  他方の押圧部
２４ａ  突出面
Ｇ，ＣＧ  ゴム
【図１】
0003191695.tif 000003
【図２】
0003191695.tif 000004
【図３】
0003191695.tif 000005
【図４】
0003191695.tif 000006
【図５】
0003191695.tif 000007
【図６】
0003191695.tif 000008
【図７】
0003191695.tif 000009
【図８】
0003191695.tif 000010
【図９】
0003191695.tif 000011
【図１０】
0003191695.tif 000012
【図１１】
0003191695.tif 000013
【図１２】
0003191695.tif 000014
【図１３】
0003191695.tif 000015
【図１４】
0003191695.tif 000016